【事件の表示】
　上記当事者間の特許第３１２４４９５号発明「出窓」の特許無効審判事件について、次のとおり審決する。
【結　論】
　訂正を認める。
　特許第３１２４４９５号の請求項１、２に係る発明についての特許を無効とする。
　特許第３１２４４９５号の請求項３に係る発明についての特許に対する審判請求は、成り立たない。
　審判費用は、その３分の１を請求人の負担とし、３分の２を被請求人の負担とする。
【理　由】
第１．手続の経緯　
１．本件特許第３１２４４９５号（以下、「本件特許」という。）の出願は、平成８年９月１９日に特許出願された特願平８−２６９３４８号（以下、「本件出願」という。）であって、その請求項１〜４に係る発明について平成１２年１０月２７日に設定登録された。
２．その後、請求人により上記本件特許のうちの請求項１ないし請求項３に係る発明の特許に対して平成１９年１２月２７日に本件無効審判〔無効２００７−８００２８０〕が請求され、被請求人から平成２０年３月２４日に訂正請求書及び答弁書が提出され、請求人から平成２０年４月２８日に審判事件弁駁書が提出された。
３．当審において、平成２０年７月２９日に口頭審理が行われ、その後、請求人から平成２０年８月２０日付けで上申書が提出され、被請求人から平成２０年９月２日付けで上申書が提出された。　
　　
第２．当事者の主張　　　
１．請求人の主張　
（１）請求人は、本件の請求項１ないし請求項３に係る発明の特許を無効とする理由として次のように主張するとともに証拠方法として甲第１号証ないし甲第３号証を提出した。
　無効理由：本件の請求項１ないし請求項３に係る発明は、本件特許出願前に日本国内において頒布された刊行物である甲第１号証ないし甲第３号証に記載された発明に基づいて、当業者が容易に発明をすることができたものであるから、特許法第２９条第２項の規定により特許を受けることができないものである。よって、これらの特許は、同法第１２３条第１項第２号に該当し、無効とすべきである。
（２）さらに、請求人は弁駁書において、新たな証拠方法として甲第４号証ないし甲第１０号証を提出し、訂正後の請求項１ないし３に係る発明は、甲第１号証ないし甲第４号証、甲第６号証に記載された発明、及び、甲第５号証、甲第７号証ないし甲第１０号証記載の周知技術に基づいて当業者が容易に発明をすることができたものであるからいずれも、特許法第２９条第２項の規定により特許を受けることができないものであると主張している。
　なお、請求人の弁駁書での主張は、甲第４号証ないし甲第１０号証を含め、訂正請求に起因して必要になった請求の理由の補正（特許法第１３１条の２第２項第１号）に相当するものであり、不当な審理遅延を生じるものでもないので、当該主張による請求の理由の補正を認める。
　
［証拠方法］
（請求書に添付されたもの）
　甲第１号証：実願平５−５９２１４号（実開平７−２３１８１号）のＣＤ−ＲＯＭ
　甲第２号証：特開昭５９−１７９９９０号公報
　甲第３号証：特開平７−２０８０２８号公報
（弁駁書に添付されたもの）
　甲第４号証：実願平４−３２２６０（実開平５−８９７７４号）のＣＤ−ＲＯＭ
　甲第５号証：実公平５−２９３５２号公報
　甲第６号証：実公昭５８−４１３４５号公報
　甲第７号証：特開平５−１２５７８９号公報
　甲第８号証：実願平２−８５９５３号（実開平４−４３６１８号）のマイクロフィルム
　甲第９号証：実公平３−４６０９２号公報
　甲第１０号証：実公平３−４６０９３号公報
（口頭審理において、提出されたもの）
　参考資料１：特公昭６３−５８９９７号公報
　
２．被請求人の主張　　
　被請求人は、本件審判請求は成り立たない、審判費用は請求人の負担とするとの審決を求め、訂正後の本件特許の請求項１ないし３に係る発明には、原告の主張する無効理由はない旨、主張している。　
　　
第３．訂正についての判断
１．訂正の内容　
　本件無効審判の訂正請求は、本件特許の願書に添付した明細書（以下、「本件特許明細書」という。）を訂正請求書に添付された訂正明細書のとおりに訂正しようとするものであり、その訂正事項は次のとおりである。
訂正事項ａ：　
　請求項１の「出窓本体の正面下枠と側面下枠からなる下枠部分の両端部間に掛け渡され、建物の躯体における窓台の屋外面に当接される窓台対向部材と、この窓台対向部材に設けられ、屋外側へ延出して上記窓台対向部材と対向する正面下枠に連結される先端部と屋内側へ延出された後端部とを有する補強ブラケットと、正面上枠，正面下枠，側面上枠，側面下枠，左右の方立及び縦枠を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする出窓。」を、
「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　
訂正事項ｂ：
　請求項２の「出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有する補強ブラケットを予め設けておき、上記下枠部分の両端部間に上記窓台対向部材を掛け渡し、上記補強ブラケットの先端部を上記窓台対向部材と対向する正面下枠に連結して出窓本体を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする出窓。」を、
「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　
訂正事項ｃ：
　請求項３の「出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有する補強ブラケットと、出窓本体の底部を覆う底面板とを予め設けておき、上記下枠部分の両端部間に上記窓台対向部材を掛け渡し、上記補強ブラケットの先端部を上記窓台対向部材と対向する正面下枠に連結して出窓本体を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする出窓。」を、
「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記補強ブラケットの上記先端部に形成した係合溝と上記窓台対向部材の屋外面に形成した保持溝により
上記
の上記延出部下面が第３鍔部を介して
固定される
　
訂正事項ｄ：
　発明の詳細な説明の段落【０００６】の「上記目的を達成するために本発明のうち請求項１記載の出窓は、出窓本体の正面下枠と側面下枠からなる下枠部分の両端部間に掛け渡され、建物の躯体における窓台の屋外面に当接される窓台対向部材と、この窓台対向部材に設けられ、屋外側へ延出して上記窓台対向部材と対向する正面下枠に連結される先端部と屋内側へ延出された後端部とを有する補強ブラケットと、正面上枠，正面下枠，側面上枠，側面下枠，左右の方立及び，縦枠を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする。」を、
「上記目的を達成するために本発明のうち請求項１記載の出窓は、出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　
訂正事項ｅ：
　発明の詳細な説明の段落【０００７】の「請求項２記載の出窓は、出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有する補強ブラケットを予め設けておき、上記下枠部分の両端部間に上記窓台対向部材を掛け渡し、上記補強ブラケットの先端部を上記窓台対向部材と対向する正面下枠に連結して出窓本体を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする。」を、
「請求項２記載の出窓は、出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　
訂正事項ｆ：
　発明の詳細な説明の段落【０００８】の「請求項３記載の出窓は、出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有する補強ブラケットと、出窓本体の底部を覆う底面板とを予め設けておき、上記下枠部分の両端部間に上記窓台対向部材を掛け渡し、上記補強ブラケットの先端部を上記窓台対向部材と対向する正面下枠に連結して出窓本体を組立て、上記補強ブラケットの後端部を上記窓台の上部に載置して上記出窓本体を躯体の窓開口部に取付け、上記下枠部分及び窓台対向部材により区画されて略同一平面とされた上面部にテーブル板を載置したことを特徴とする。」を、
「請求項３記載の出窓は、出窓本体の正面下枠と側面下枠からなる下枠部分の両端部間に掛け渡され、建物の躯体における窓台の屋外面に当接される
とともに、窓台の上緑部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記補強ブラケットの上記先端部に形成した係合溝と上記窓台対向部材の屋外面に形成した保持溝により
上記
の上記延出部下面が第３鍔部を介して
固定される
　
２．訂正の適否　
　上記訂正事項ａ及びｂに係る訂正は、「窓台対向部材」を、窓台の上縁部に係止片を介して係止して固定されるものに限定し、「補強ブラケット」を、第１鍔部ないし第３鍔部を介して窓台対向部材及び窓台に固定するものに限定し、上記訂正事項ｃは、上記限定に加え、出窓本体の底部を覆う「底面板」を、上記補強ブラケットの上記先端部に形成した係合溝と上記窓台対向部材の屋外面に形成した保持溝により出窓本体の底部を覆うものに限定するものであるから、特許請求の範囲の減縮を目的とするものである。
　上記訂正事項ｄ〜ｅに係る訂正は、訂正事項ａ〜ｃに関連して、対応する発明の詳細な説明の記載を整合させるものであるから明りょうでない記載の釈明を目的とするものに該当する。
　そして、訂正事項ａ及びｂは、本件特許明細書の段落【００１５】、【００１６】、【図１】、【図３】及び【図５】の記載に基づくものであり、訂正事項ｃは、本件特許明細書の段落【００１９】、【００２０】、【図１】、【図３】及び【図５】の記載に基づくものであって、いずれも、願書に添付した明細書又は図面に記載した事項の範囲内のものであり、さらに、実質上特許請求の範囲を拡張し、又は変更するものではない。
　したがって、上記訂正は、特許法第１３４条の２第１項ただし書き、及び同条第５項において準用する特許法第１２６条第３項、第４項の規定に適合するので、当該訂正を認める。
　
第４．本件発明　
　上記のとおり、訂正が認められるから、本件の請求項１ないし３に係る発明（以下、「本件発明１」等という。）は、訂正明細書の特許請求の範囲の請求項１ないし３に記載された事項により特定される次のとおりのものである。　
１．本件発明１　
　「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　　
２．本件発明２　
　「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記
の上記延出部下面が第３鍔部を介して
固定される
　　
３．本件発明３　
　「出窓本体の正面下枠と側面下枠からなる下枠部分の両端部間に掛け渡され、建物の躯体における窓台の屋外面に当接される
とともに、窓台の上縁部に係止片を介して係止して固定される
し、上記窓台対向部材の屋外面に第１鍔部を介して固定されるとともに、上記窓台対向部材を貫通して屋内側へ延出される上記後端部の延出部下面が第２鍔部を介して上記係止片上に固定され
上記補強ブラケットの上記先端部に形成した係合溝と上記窓台対向部材の屋外面に形成した保持溝により
上記
の上記延出部下面が第３鍔部を介して
固定される
　　
第５．無効理由についての判断　
１．甲号各証に記載された事項　
（１）上記甲第１号証には、次のことが記載されている。
(1a)「【０００１】
【産業上の利用分野】
　本考案は、一般住宅等に設けられる出窓において、出窓底部の上面に装着したカウンター板を着脱自在としてなる出窓に関する。」、
(1b)「【０００６】
　上記家屋外壁部に設けられる出窓１は、図１及び図２に示すように、枠材を四周に枠組みして形成されるもので、平面形状を略台形状とし、その前面側及び側面側に窓障子を納め、家屋本体Ａの外壁部に設けられた窓開口に屋外側へ突出して装着されている。この出窓１の平面形状は、略台形状に限らず方形状等であってもよい。
　この出窓１は、図２及び図３に示すように、窓障子を納めた前面側及側面側の下部の略全幅に沿って、各々前方下枠２と側方下枠３が配設されている。…」、
(1c)「【０００８】
　また、上記カウンター板１０は、上記家屋本体Ａ側の下部に配設された後方下枠４と、底部に配設された中骨材５に、その下面を下方から止着してなる。
　すなわち、上記家屋本体Ａ側の下部に配設された後方下枠４は、その側方の略全幅に沿って突片状の止着片４ａが形成されており、この止着片４ａの数箇所において、図２及び図４に示すように、下方締結具７ｂによりカウンター板１０の下面を下方から締結して、上記止着がなされている。
　また、上記出窓１の底部においては、図２及び図３に示すように、上記前方下枠２と後方下枠４との間に複数の中骨材５，５が屋内外方向に平行な向きで架設されている。この複数の中骨材５，５の本数は図示において３本としているが、必ずしもこれに限られるものではない。これら各中骨材５は、図４に示すように、断面形状を上向きコ字状として形成されており、その部材には、スチール等強固な部材が用いられる。
【０００９】
　上記各中骨材５は、その複数箇所において上記出窓１の他の部材と連係している。すなわち、各中骨材５は、その前端に形成された切欠部５ａを上記前方下枠２に形成された突部に係合させると共に、その後方側を上記後方下枠４に形成された嵌合部４ｂに嵌合させている。この嵌合部４ｂは、上記中骨材５の外形に略適応した上向きコ字形状として形成されており、これに上記中骨材５の後方側を上方から嵌合させることにより、中骨材５の上面と嵌合部４ｂの上面が面一とされている。また、上記各中骨材５は、図１に示すように、その後端部を窓開口の下部に沿って配置されている板状の下辺材１２の上に載置しビス５ｂによって締結され、上記連係がなされている。
【００１０】
　上記のように上面を上記後方下枠４の上面と面一とした各中骨材５は、各上面に上記したカウンター板１０を載置させ、下方締結具７ｃによりその下面を下方から締結して、上記止着がなされている。上記各中骨材５は、断面形状を上向きコ字状でなく角筒状等としてもよく、これに上記カウンター板１０の下面を下方から止着できるものであればよい。
　本実施例においては上記のように、カウンター板１０の下面を出窓１の家屋本体Ａ側の下部に配設された後方下枠４と出窓１の底部に配設された各中骨材５との両方に止着したが、いずれか一方に止着するようにしてもよい。」、
(1d)「【００１１】
　上記出窓１は、図２及び図３に示すように、その周囲の外装材８の施工部分より屋外側において、上記後方下枠４、もしくは各中骨材５の下方に底板６が設けられており、この底板６を取外した状態で上記カウンター板１０の下面を上記後方下枠４、もくしは各中骨材５に対し着脱自在としてなる。
　すなわち、この底板６は、上記後方下枠４、もしくは各中骨材５の下方に配設されるもので、その後端を上記後方下枠４の一部に載置させると共に、その前端を上記前方下枠２の底部に締結具６ａで着脱自在に止着されている。この底板６を取外した状態においては、図３に示すように、上記カウンター板１０の下面が開放されて、その後方下枠４、もしくは各中骨材５に対する止着部が着脱自在とされる。
　この底板６は、形状や取付け位置が図示のものに限定されるものではなく、これを取外した時に、カウンター板１０の下面を開放して、その後方下枠４、もしくは各中骨材５に対する止着部を着脱自在にできるものであればよい。
【００１２】
　また、上記カウンター板１０の後方側下面には、図２に示すように、複数の係止片１１，１１が一定間隔で横方向に配設されている。これら各係止片１１は、図５に示すように、断面形状を略Ｌ字形状に形成されてカウンタ−板１０の下面に接着状に取付けられてなり、そして窓開口下部の下材辺１２の上面に載置されて、その先端の突出部が上記後方下枠４の側方に形成された突片状の係合片４ｃと係脱自在に係合している。
　このように複数の係止片１１を下面に配設したカウンター板１０は、さらにその後端を下方に略直角状に屈曲させて後端部１０ａを形成し、これを上記家屋本体Ａの外壁の窓開口の下部上面に載置させている。
　なお、上記各係止片１１とカウンター板１０の後端部１０ａは、必ずしも上記のような形状に限られるものではない。」、
(1e)「【００１３】
　次に、カウンタ−板１０の組立て施工手順について説明する。
　まず、出窓１の主構成要素を家屋本体Ａに取付け、次いで家屋本体Ａの外表面に外装材８を施工する。
　この外装材８の施工後に、カウンター板１０を、その前面及び側面のそれぞれを前方下枠２の壁面と側方下枠３の壁面に当接させて、後方下枠４と中骨材５の上面に載置させる。
そして出窓１の内部側から上方締結具７ａを用いてカウンター板１０の上縁及び側縁を止着し、カウンター板１０の下面を下方から下方締結具７ｂ・７ｃを用いて止着して、底板６を締結具６ａによって締結し組付けが完了する。…」。
(1f)【図２】には、後方下枠４は、前方下枠２と側方下枠３からなる下枠部分の両端部間に掛け渡されることが記載されている。
(1g)【図３】には、次の図が記載され、後方下枠４は、下辺材１２の屋外面に当接する部分と、下辺材１２の上面に当接する部分を有していることが示されている。
　
　これらの記載事項によると、甲第１号証には、次の発明が記載されていると認められる。
「出窓１の主要構成部材である前方下枠２と側方下枠３からなる下枠部分の両端部間に掛け渡され、家屋本体Ａにおける下辺材１２の屋外面に配設される後方下枠４と、この後方下枠４に形成された嵌合部４ｂに嵌合され、屋外側へ延出して後方下枠４と対向する前方下枠２に連結される切欠部５ａと後方下枠４を貫通して屋内側へ延出される後端部を有する中骨材５と、前方上枠、前方下枠２、側方上枠、側方下枠３、左右の方立及び縦枠とを枠組した、出窓１の主要構成部材が、家屋本体Ａの窓開口部に取付けられ、中骨材５は、その後端部が、窓開口の下部に沿って配置されている板状の下辺材１２の上に載置されてビス５ｂによって固定され、後方下枠４は、下辺材１２の屋外面に当接する部分と、下辺材１２の上面に当接する部分を有し、中骨材５の上面と後方下枠４の嵌合部４ｂの上面が面一とされ、下枠部分及び後方下枠４により区画されて略同一平面とされた上面部にカウンター板１０を載置し、底板６を後方下枠４及び前方下枠２に掛け渡した出窓。」（以下、「甲第１号証記載の発明」という。）。
　
（２）上記甲第２号証には、図面とともに次のことが記載されている。
(2a)「金属製押出材からなる左右一対の縦枠（１１）（１１）と、同様な押出材からなり、中央部が屋外側に向つて一定幅せり出すように形成された上下の枠材（１２）（１３）とで予じめ出窓本体部（１０）を枠組したものにおいて、
（ａ）上下各枠材（１２）（１３）の屋内側に面する位置にそれぞれ固着溝（３３）（３４）を設け、
（ｂ）前記固着溝（３３）（３４）に前以つて複数本の上部腕木（２６）および下部腕木（２７）を屋内方向に、ほぼ水平状態に取付け、
（ｃ）上部腕木（２６）の端部には、その腕木長手方向に対し直角方向に延びて建物開口部のフレーム（２１）（２１）に取付けられる取付枠（２２）を固着し、
（ｄ）また下部腕木（２７）の端部には、断面筒形の鋼製力骨（２４）を前記取付枠（２２）と同様に下部腕木（２７）の長手方向に対し直角方向に固着し、
（ｅ）この力骨（２４）を建物の開口部縦フレーム（２１）（２１）または柱（６２）（６２）に固着して、出窓本体部の荷重をこの力骨（２４）で支承したことを特徴とする出窓の取付構造。」（１頁特許請求の範囲第１項）、
(2b)「この発明は出窓の取付構造に関し、更に詳しくは、金属製押出材からなる左右一対の縦枠と、同様材料からなる上下の枠材とで、予じめ出窓本体を枠組みすると共に、この出窓本体の上下枠材に前以つて腕木および力骨を一体に固着させ、その力骨を出窓取付現場において建物開口部の縦フレームに溶接手段等で一体に固着して出窓本体部の荷重を前記力骨で支承するようにした出窓の取付構造に関するものである。」（２頁左上欄３〜１１行）、
(2c)「本発明は予じめ工場で腕木と力骨とを出窓に一体に組付けて生産するようにした形式の出窓に関するものであるが、…建築取付現場の設計、搬入、取付作業が簡便になしえるとともに、捩れに対する強度の点でも耐久性が高く、建物への取付けが強固にできる出窓の取付構造を提案するものである。…横フレーム（２０）と縦フレーム（２１）は、通例形鋼により構成されているものであり、この縦フレーム（２１）にはＬ形をした位置決め用アンカー（２３）（２５）を介して後記する断面筒状の取付枠（２２）または力骨（２４）が溶着される。」（２頁右下欄１８行〜３頁左上欄１３行）、
(2d)「前記取付枠（２２）および力骨（２４）の前面にはそれと交差するように、それぞれ一例として２本の腕木（２６）および（２７）を溶着する。…また力骨（２４）の前面にも同様な下部腕木（２７）を溶接により固定する。そして各々の腕木の先端には別に取付金具（２８）または（２９）を取付ける。」（３頁左上欄１８行〜右上欄８行）、
(2e)「取付金具（２８）（２９）と上枠（１２）および下枠（１３）の取付関係は、第５図に示されるように上枠（１２）および下枠（１３）の屋内側に面する側面に、各枠材の長手方向に沿つて形成される溝状の固着部（３３）および（３４）に符号（３５）で示す取付ボルトを装入し、且つこの取付ボルトにナット（３６）を蝶着して、このボルトナットにより上枠（１２）または下枠（１３）と取付金具（２８）または（２９）とを固着する。」（３頁左下欄９〜１６行）、
(2f)「また（４６）は下部腕木（２７）の下方に配設する外装板、（４７）は裏打材で、この外装板（４６）と裏打材（４７）の先端を下枠（１３）の下部に形成した挿込空間（４８）に挿入し、外装板の後端を力骨（２４）に固定したブラケット（４９）に止めネジ（５０）で止着する。」（３頁右下欄１０〜１５行）、
(2g)「以上詳述したようにこの発明は金属製押出材からなる左右一対の縦枠と同様な押出材からなり、中央部が屋外側に向つて一定幅せり出すように形成された上下の枠材とで、予じめ出窓の本体部を枠組みすると共に上下各枠材の屋内側に面する位置に固着溝を設け、この固着溝に前以つて複数本の上部腕木および下部腕木を屋内方向にほほ水平状態に取付け、…下部腕木の端部には断面筒型の鋼製力骨を前記取付枠と同様に下部腕木の長手方向に対し直角方向に固着し、この力骨を建物開口部の縦フレームまたは柱に固着して、出窓本体部の荷重をこの力骨で支承するようにしたものであるから、…」（４頁左上欄１７行〜右上欄１３行）。
　
（３）上記甲第３号証には、図面とともに次のことが記載されている。
(3a)「【０００１】
【産業上の利用分野】本発明は出窓とその施工方法に関する。」、
(3b)「【００１０】
【実施例】図１及び図２は、正面を引違い戸、左右の袖部を嵌殺しとした平面台形状の出窓１の正面部縦断面図及び袖部縦断面図を示す。建物の外壁２に形成された開口部３の上方から屋外に平面台形の屋根部４が水平に張り出されている。また、開口部３の下端部から屋外に同じく平面台形の床部５が水平に張り出されている。
【００１１】屋根部４の下面正面縁に沿って正面上枠６が配置され、床部５の正面端面に沿って正面下枠７が正面上枠６に対向するように装着されている。正面上枠６と正面下枠７の間に室外側から順に網戸９及び左右一対のガラスパネル８ａ，８ｂが摺動自在に嵌合されている。また、屋根部４の下面両側縁に沿って袖部上枠１０が配設され、床部５の側縁に沿って袖部下枠１１が袖部上枠１０に対向するように装着されている。袖部上枠１０と袖部下枠１１の間にガラスパネル８ｃが嵌合されている。」、
(3c)「【００１５】枠部材２２は、正面下枠７、袖部下枠１１、外壁構成材である窓台２５及び窓台２５の室外側上縁に沿って装着される内面板支持枠２６によって構成される。正面下枠７及び袖部下枠１１の室内側面の上端部には挿入溝２０ａ，２０ｂが形成されている。挿入溝２０ａ，２０ｂには、内面板１７の正面部先端縁及び側縁がそれぞれ挿入されている。また、正面下枠７の下面には室内側に屈曲する係合鍵片２１が形成されている。」、
(3d)「【００１７】図４に示すように、断熱ボードカバー２４は断熱ボード２３より一回り大きい台形平面を有する。その室内側端縁は下方に屈曲されて取り付け片２８が形成されている。両側縁寄りにはそれぞれビス孔４６が穿設されている。また、断熱ボードカバー２４の上面の室内寄りと室外寄りには、断熱ボード２３の幅よりやや短い二条の断熱ボード固定部材２９が室内寄り端縁と平行に取付けられている。断熱ボード固定部材２９の上面及び下面は接着面とされ、断熱ボード２３と断熱ボードカバー２４は予め工場において断熱ボード固定部材２９を介して接着される。」、
(3e)「【００２０】断熱ボード２３及び断熱ボードカバー２４は予め工場で貼着され、枠部材２２の内側に現場で嵌め込まれる。断熱ボードカバー２４は室外寄りを上に傾斜させて枠部材２２の内周に形成された空間に斜めに嵌め入れられ、図１に示すように、その正面先端部は正面下枠７の下面と係合鍵片２１の間に挿入される。また、図２に示すように、断熱ボードカバー２４の側縁部は袖部下枠１１の下面に当接され、下方からビス孔４６を通してビス３７を打ち込むことにより袖部下枠１１に固定される。」。
　
（４）上記甲第４号証には、次のことが記載されている。
(4a)「【０００１】
【産業上の利用分野】
　この考案は、出窓の下面を伝って雨水などが窓台に達しないようにするのに利用される出窓用水切部材に係わり、とくに出窓の荷重を支える補強ブラケットの窓台への取付作業を簡便化し、該作業性を向上させる出窓用水切部材に関するものである。」、
(4b)「【０００２】
【従来の技術】
　従来、躯体開口部への出窓の取付施工に際しては、出窓が自重によって垂れ下がったり、傾斜したりするのを防止するため、図４に示すような補強ブラケット１０をビス１１，１２を用いて躯体１３の開口部の窓台１４に取付け、当該補強ブラケット１０によって出窓の荷重を支えるようにしていた。
【０００３】
【考案が解決しようとする課題】
　このような出窓は、通常窓枠と床板とを工場段階で組立てた状態で施工現場に搬入されるされるが、前記出窓の下エッジには当該補強ブラケット１０との干渉を避けるための切欠きがあらかじめ設けてあるので、躯体開口部に出窓を取付けた際に前記下エッジの切欠きが補強ブラケット１０の取付位置にぴったりと合致するように当該補強ブラケット１０を前記窓台１４の切欠き対応位置に正確に取付けておくことが必要となる。
【０００４】
　しかしながら、そのための取付位置の測定や割り出しなどが煩雑であるため作業能率が良くないという問題点があり、この補強ブラケット１０の取付け作業の簡便化が出窓取付施工の作業性を改善し、能率を向上させるうえでの課題のひとつとなっていた。」、
(4c)「【０００５】
【考案の目的】
　この考案は、上記した従来の課題に着目してなされたものであって、出窓からの雨水が窓台に達するのを防止すると共に、補強ブラケットの取付位置割り出しのための寸法測定が不要で、補強ブラケットの位置合わせを容易に行うことができる出窓用水切部材を提供することを目的としている。」、
(4d)「【００１０】
　図１ないし図３は、この考案に係わる出窓用水切部材の形状および取付要領を説明するものであって、出窓用水切部材１は、図１および図２に示すように、躯体開口部の窓台１４に載置されて水平となる窓台載置部２と、裏面側に４か所の当接突起３ａを有するとともに、前記窓台載置部２の出窓側端部から躯体外壁面に添って垂下し、図２中に仮想線で示す出窓枠１５の下端を超えて連続する躯体外壁面添設部３と、該躯体外壁面添設部３の下端から出窓側下方に傾斜する水切フィン４ａと躯体１３に当接する当接片４ｂとからなる水切部４と、この実施例では、前記窓台載置部２の室内側端部から上方に突出する突片５を備えており、一体の押出形材からなるものである。
【００１１】
　そして、前記突片５の所定の位置、すなわち補強ブラケット１０の取付位置、さらに言えば前記補強ブラケット１０との干渉を避けるために出窓の下エッジに設けた図示しない切欠きに対応する位置には、位置決め部となる切欠部５ａがこの実施例では２か所に形成してある。
【００１２】
　このような構造を有する出窓用水切部材１は、図３に示すように、その窓台載置部２を躯体開口部の窓台１４に載置し、躯体外壁面添設部３に設けた当接突起３ａおよび当接片４ｂが躯体１３の外壁面に当接するようにセットされる。
【００１３】
　そして次に、突片５に設けた切欠部５ａの位置に補強ブラケット１０の端部を嵌め合わせ、合計４本のビス１１，１２を用い、当該水切部材１を貫いて前記窓台１４にねじ込むことによって補強ブラケット１０の室内側端部を窓台１４に固定する。」。
(4e)【図３】には次の図が記載され、補強ブラケット１０は、出窓用水切部材１の躯体外壁面添設部３の屋外側に当接する第１の鍔部においてビス１２により水切部材１を貫いて前記窓台１４に固定され、出窓用水切部材１の窓台載置部２に当接する第２の鍔部においてビス１１により、水切部材１を貫いて前記窓台１４に固定されることが示されている。
(4f)【図４】には従来技術として次の図が記載され、補強ブラケット１０は、窓台１４の躯体外壁面に当接する第１鍔部と、窓台１４の上縁部に当接する第２鍔部を有し、第１鍔部の位置でビス１２により、第２鍔部の位置でビス１１により、前記窓台１４に固定されることが示されている。
　
（５）上記甲第５号証には、次のことが記載されている。
(5a)「（産業上の利用分野）
  この考案は、出窓の支持装置に関するものである。」（１欄１７〜１９行）、
(5b)「図において、１は建物躯体、２は屋根材、３は屋根材２に固着された上枠であり、上記屋根材２及び上枠３に天井４がビス止め等により固着され、該天井４に鴨居形成材５が固着されている。６は上枠３に止着された上レール形成材で、第２図に示すように上記鴨居形成材５は上レール形成材６によつても支持されている。
　７は、その上端を上枠３に固着した左右の縦枠（図面では左縦枠のみを図示する。）で、該縦枠７の下部に下枠８を固着し、該下枠８の背面上部と建物躯体１との間に、床板９を掛渡し装着している。１０は下枠８の上面に形成された下レール、１１は床板９の上面に形成された敷居を示す。
　本考案に係る支持装置は、上記例示した如き出窓に対し用いられる。
　第３図に示すように、本考案に係る支持装置は、大略、側面視Ｌ字形の支持材１２とカバー材１３とからなる。
　具体的には、支持材１２は、建物躯体１に添いつけられてビス等により固着するに供される固着部１４と、該固着部１４の上端より室外側へ突出する底板１９と、該底板１９の左右より上方へ立上る一対の支承片１５，１５と、該支承片１５，１５より左右方向に張り出すフランジ１６，１６とを備えている。このフランジ１６の突設は、例示図面では、支承片１５の側壁にフランジ１６を有する型材１７をビス１８で固着して具体化しているが、勿論、支承片１５に一体形成してもよいものである。そして、支承片１５の底板１９の先端は突設されていて、該突出部にビス孔２０が形成されている。このビス孔２０は支承片１５を下枠８に固着する際利用されるものである。
　２１は固着部１４を建物躯体１に固着させる際利用されるビス孔、２２は後述するカバー材１３の一端縁を止着する際利用されるビス孔である。」（３欄１９行〜４欄１０行、なお「躯」は原文では旧字体）。
(5c)第３図には、次の図が記載され、底板１２と左右の支承片１５とからなるコ字型断面の部材に設けたフランジ１６にビス孔２２を設けたこと、及びコ字型断面の固着部１４の鍔部にビス孔２１を設けたことが記載されている。　
　
　
（６）上記甲第６号証には、図面とともに次のことが記載されている。
(6a)「本考案は、出窓本体天板または出窓本体地板部を補強用骨材を介して屋根板用又は地板部用の外板によつて被覆する出窓構造の改良に関する。」（１欄２１〜２３行）、
(6b)「更に詳述すると、骨材１は金属板を第５図の如く折曲加工して成るもので、出窓屋根勾配と同一傾斜角度を存するフレーム８の上縁を側方に折曲して外板受部９が形成されると共に、フレーム８の下端に同じく側方に折曲する脚座１０が形成され、更にフレーム８の上端に他の金属板から成る支え金１１がスポツト溶接され、且つこの支え金１１の下端に脚座１２が形成されている。この支え金１１の上端は図に見られるように上記フレーム８よりも更に上方に突出されて、該部に屋根板２に対するフランジ受部１３が構成されている。この骨材１は出窓本体１４の組立てに先立ち、天板３の上面に複数個整列させた状態から各骨材１の各脚座１０，１２を天板３にビス止め１５して固定され、これによつて天板３と骨材１とがユニツト化されると共に、このユニツト化ののちに各骨材１の外板受部９上に接着剤４を介し所要厚みの緩衝材５（発泡ポリウレタン、又ゴム）が貼着され、更に該緩衝材５の上面に接着剤６が塗布される。該構成のために緩衝材５はその上下面に接着剤層を有する両面接着テープ状に構成しておけば便利である。次にこの骨材付き天板３と地板（第４図）１６とを上下所要間隔おいて対向せしめた状態から第１図に示す方立１７および横枠１８等の窓枠部材を用いた周知技術により出窓本体１４が組立てられ、その後この出窓本体１４が建屋側窓用開口部１９に対しその基部を室外側から嵌装され、天板３と建屋壁２０との間にスペーサ２１を挟圧せしめたのち天板３および地板１６を通し建屋壁木材部２２に釘打ち２３を施こして建屋壁２０に固定される。第２図の２４は額縁である。一方、屋根板２は金属薄板もしくはアルミニウム板から構成され、その下面にシール材７が塗着される。そして、この展根板２が上記出窓本体１４の骨材１上に載置され且つ骨材１に押しつけられることで前記接着剤６により骨材１に接着固定されると共に、展根板２の下縁裾部２ａが天板３の外周突端に係合且つ釘止め２５される。又、屋根板２の上縁頂部側のフランジ部２ｂが骨材１のフランジ受部１３に対接重合され、この重合部を通したブラインドリベツト等にて建屋壁２０に鋲止め２６され、天板３が骨材１によつて建屋壁２０に梁り止めされる。」（２欄２５行〜３欄２９行、なお「挟」は原文では旧字体）、
(6c)「以上は出窓本体１４の屋根部を骨材１に固着した展根板２にて被覆する例について述べたが、出窓本体１４の下部地板部において地板１６を第４図の如く地板部被覆用外板３０にて被覆する場合にも本考案を適用できる。」（３欄３７行〜４欄１行。）。
　
（７）上記甲第７号証〜甲第１０号証には、「板体」を固定部材側に取り付けるために、固定部材側に設けた「溝」を利用する技術が記載されている。
　
（８）上記参考資料１には、製作工場または建築現場において、出窓を予め組み立てておくことが記載されている。
　
２．対比・判断　
（１）本件発明１について　
　本件発明１と甲第１号証記載の発明を対比すると、甲第１号証記載の発明の「出窓１の主要構成部材」が、本件発明１の「出窓本体」に相当し、以下同様に、「前方下枠２」が「正面下枠」に、「側方下枠３」が「側面下枠」に、「家屋本体Ａ」が「建物」に、「下辺材１２」が「窓台」に、「後方下枠４」が「窓台対向部材」に、「中骨材５」が「補強ブラケット」　に、「前方上枠」が「正面上枠」に、「側方上枠」が「側面上枠」に、「カウンター板１０」が「テーブル板」に、それぞれ相当する。
　甲第１号証記載の発明の「後方下枠４に形成された嵌合部４ｂに嵌合され」は、本件発明１の「窓台対向部材に設けられ」に相当し、甲第１号証記載の発明の補強ブラケット（中骨材５）はその先端に「前方下枠２に連結される切欠部５ａ」を有するものであるから、「正面下枠に連結される先端部」を有しているといえる。
　また、甲第１号証記載の発明の「出窓」は、前方下枠２、側方下枠３、前方上枠、側方上枠、後方下枠４及び中骨材５を組み立てて形成される出窓１の主要構成部材すなわち出窓本体が、中骨材５（補強ブラケット）の後端部の下面を窓台（下辺材１２）の上部に載置して固定されて、躯体の窓開口部に取付けられているものであることは明らかである。
　したがって、両者は、次の一致点１及び相違点１〜３を有する。　
（一致点１）
　「出窓本体の正面下枠と側面下枠からなる下枠部分の両端部間に掛け渡され、建物の躯体における窓台の屋外面に当接される窓台対向部材と、窓台対向部材に設けられ、屋外側へ延出して窓台対向部材と対向する正面下枠に連結される先端部と屋内側へ延出された後端部とを有し、窓台対向部材を貫通して屋内側へ延出される後端部を有する補強ブラケットと、正面上枠、正面下枠、側面上枠、側面下枠、左右の方立及び縦枠を組立て、補強ブラケットの後端部の延出部下面が窓台の上部に載置して固定される上記出窓本体を躯体の窓開口部に取付け、下枠部分及び窓台対向部材により区画されて略同一平面とされた上面部にテーブル板を載置した出窓。」である点。
（相違点１）
　本件発明１が、窓台対向部材が窓台に対して、「窓台の上縁部に係止片を介して係止して固定される」との構成を有しているのに対し、甲第１号証記載の発明はこのような構成を有しているか否か不明である点。
（相違点２）
　本件発明１が、補強ブラケットが窓台対向部材に対して「窓台対向部材の屋外面に第１鍔部を介して固定されるとともに、…後端部の延出部下面が第２鍔部を介して係止片上に固定される」との構成を有しているのに対し、甲第１号証記載の発明は、このような構成を有していない点。
（相違点３）
　本件発明１が、補強ブラケットが窓台に対して「第３鍔部を介して」固定されるとの構成を有しているのに対し、甲第１号証記載の発明はこのような構成を有していない点。
　
　上記相違点１及び２について検討する。
　甲第４号証には、出窓の補強ブラケットの取り付けに関して記載され、【図３】には、屋外側へ延出する先端部と屋内側へ延出された後端部とを有する出窓の補強ブラケット（１０）を、「出窓用水切部材１」を介して窓台（１４）に取り付けるに際して、補強ブラケット１０は、出窓用水切部材１の躯体外壁面添設部３の屋外側に当接する第１の鍔部においてビス１２により水切部材１を貫いて前記窓台１４に固定され、出窓用水切部材１の窓台載置部２に当接する第２の鍔部においてビス１１により、水切部材１を貫いて前記窓台１４に固定されることが示されている（記載事項(4e)）。
　すなわち、出窓用水切部材１が、窓台載置部２において、補強ブラケットと共に、窓台の上縁部に係止して固定されること、及び、補強ブラケットが出窓用水切部材１の屋外面並びに窓台載置部２に鍔部を介して固定されることが示されている。
　甲第４号証記載の「出窓用水切部材１」は、出窓の下枠部に掛け渡される「窓台対向部材」には相当しないが、窓台の屋外面および上縁部に沿って配置され、出窓の補強ブラケットとともに窓台に取り付けられ、水切り作用を奏する部材である点で、甲第１号証記載の発明の窓台対向部材（後方下枠４）と共通している。
　そうすると、甲第１号証記載の発明において、窓台対向部材（後方下枠４）及び補強ブラケットを窓台（下辺材１２）に強固に固定するために、甲第４号証記載の技術を採用し、窓台対向部材を、窓台の上縁部に当接する部分において窓台に固定し、補強ブラケットを、窓台対向部材の屋外面に当接する位置と後端部の延出部下面の位置とで窓台対向部材に固定することは当業者が容易に想到しうることである。
　ところで、甲第１号証記載の発明の実施例においては、補強ブラケット（中骨材５）は断面形状を上向きコ字状としたものであり（記載事項(1c)、底面でビス止めされているように見える。しかし、甲第１号証記載の発明において、補強ブラケットの形状は何ら限定されておらず、また、鍔部を設ける固定手段は、例えば、甲第５号証の図３にフランジ１６やビス孔２１を有する鍔部として記載されているように、従来から普通一般に行われている慣用手段であり、上方が開放したコ字型断面の部材の固定手段としても用いられているものである。
　そうすると、補強ブラケットを、窓台対向部材の屋外面に当接する位置と後端部の延出部下面の位置とで窓台対向部材に固定するに際し、鍔部により固定する手段を採用することは、補強ブラケットの断面形状等に応じて適宜なし得る設計的事項にすぎない。
　なお、甲第４号証記載の発明では、補強ブラケットと窓台対向部材が同時に窓台に固定されているが、窓台対向部材を強固に固定するために、窓台対向部材の上面を直接窓台に係止して固定することも当業者が適宜なしうることである。
　したがって、甲第１号証記載の発明において、相違点１、２の本件発明１に係る構成とすることは、甲第４号証記載の技術及び周知技術に基づいて当業者であれば容易に想到し得ることである。
　
　上記相違点３について検討する。
　甲第４号証に、従来例として提示された【図４】には、補強ブラケット後端部が窓台に対して鍔部を介して直接固定される構成が記載されている。
　そして、上記したように鍔部を設ける固定手段は、慣用されており、甲第１号証記載の発明において、補強ブラケットの後端部の延出部下面を窓台の上部に載置してビスにより固定するに際し、補強ブラケットの断面形状等に応じて鍔部を設けて固定する手段を採用することは、当業者であれば容易になし得る設計的事項にすぎない。
　
　そして、本件発明１の作用効果である、「出窓本体の下枠部分の強度を確保することができると共に、テーブル板の支持強度の向上が図れ、施工性の向上が図れる。」（段落【００３３】）との明細書記載の効果は、甲第１号証記載の発明も有している効果であり、また、被請求人口頭陳述要領書で述べた、出窓の荷重によるその下がり方向、曲げ方向に対して、「第１鍔部２３ｃ」と「第２鍔部２３ｄ」が突っ張り部材として機能し、「第１鍔部２３ｃ」と「第２鍔部２３ｄ」を介して荷重による付加の分散が効果的に行われる（平成２０年７月２９日付け被請求人口頭陳述要領書４頁１５〜１８行）との作用効果は、甲第４号証記載の発明も有している効果であって、本件発明１の作用効果は全体として、甲第１号証及び甲第４号証に記載された技術並びに周知技術から予測しうる程度のことである。
　
　したがって、本件発明１は、甲第１号証及び甲第４号証に記載された技術並びに周知技術に基づいて当業者が容易に発明をすることができたものである。
　
（２）本件発明２について
　上記（１）の対比をふまえて、本件発明２と甲第１号証記載の発明とを対比すると、両者は一致点２及び相違点４〜７を有する。
（一致点２）
　「出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有し、窓台対向部材を貫通して屋内側へ延出される後端部を有する補強ブラケットを設け、下枠部分の両端部間に窓台対向部材を掛け渡し、補強ブラケットの先端部を窓台対向部材と対向する正面下枠に連結して出窓本体を組立て、補強ブラケットの後端部の延出部下面が窓台の上部に載置して固定される出窓本体を躯体の窓開口部に取付け、下枠部分及び窓台対向部材により区画されて略同一平面とされた上面部にテーブル板を載置した出窓。」である点。
（相違点４）
　本件発明２は、窓台対向部材が窓台に対して、「窓台の上縁部に係止片を介して係止して固定される」のに対し、甲第１号証記載の発明は、このような構成を有しているか否か不明である点。
（相違点５）
　本件発明２は、補強ブラケットが窓台対向部材に対して、「窓台対向部材の屋外面に第１鍔部を介して固定されるとともに、…後端部の延出部下面が第２鍔部を介して係止片上に固定される」との構成を有しているのに対し、甲第１号証記載の発明は、このような構成を有していない点。
（相違点６）
　本件発明２は、補強ブラケットが窓台に対して、「第３鍔部を介して」固定されるのに対し、甲第１号証記載の発明は、このような構成を有していない点。
（相違点７）
　本件発明２は、窓台対向部材に補強ブラケットを「予め設けておき」との構成を有しているのに対し、甲第１号証記載の発明においては、このような構成を有しているか否か不明である点。
　
　まず、上記相違点６について検討すると、相違点６は相違点３に対応するものであり、上記「（１）本件発明１について」の項で上記相違点３について検討したのと同様の理由により当業者であれば容易になしうることである。
　
　次に、上記相違点７について検討する。
　出窓の各枠部材を予め枠組して窓の開口部に取り付けることは、甲第２号証（記載事項(2b)(2c)(2e)）、甲第６号証（記載事項(6b)）及び参考資料１に記載されているように本願出願前周知であるから、甲第１号証記載の発明の窓台対向部材（後方下枠４）に補強ブラケット（中骨材５）を設けるのに、上記周知技術を採用して、本件発明２のように、窓台対向部材に補強ブラケットを、予め設けておくこと、すなわち相違点７に係る構成とすることは、当業者であれば容易に思い付く程度のことである。
　
　さらに、上記相違点４、５について検討する。
　甲第４号証には、出窓の各部材と補強ブラケットを予め組み立て、窓台に載置した出窓用水切部材１に固定するものではあるが（記載事項(4b)(4d)）、上記（１）で検討したとおり、補強ブラケットが出窓用水切部材１の屋外面並びに窓台載置部２に鍔部を介して固定されることが示されている。
　そして、甲第４号証記載の出窓用水切部材１は、窓台の屋外面および上縁部に沿って配置され、出窓の補強ブラケットとともに窓台に取り付けられ、水切り作用を奏する部材であって、甲第１号証記載の発明の窓台対向部材（後方下枠４）と類似した形状の部材であるから、甲第１号証記載の発明において、窓台対向部材に補強ブラケットを予め設けておく際に、甲第４号証記載の技術を採用して、補強ブラケットを、窓台対向部材の屋外面に及び窓台対向部材の窓台上縁部に当接する部分上に固定されるようにすることは当業者が容易になしうることであり、その際、鍔部を設けて固定する手段を採用することは、上記（１）で相違点１及び２について検討したとおり、当業者であれば容易になし得ることであるから、相違点５に係る本件発明２の構成は、甲第４号証および甲第６号証記載の技術に基づいて当業者が容易になしうることである。
　また、甲第４号証には、上記（１）で検討したとおり、出窓用水切部材１が、窓台載置部２において、窓台の上縁部に係止して固定されることが示されており、甲第１号証記載の発明において、窓台対向部材に補強ブラケットを予め設けておき（窓台対向部材に補強ブラケットのみを予め固定しておき）、これを窓台に取り付ける際に、窓台対向部材を強固に固定するために、補強ブラケットを窓台に固定する手段に加えて、窓台対向部材の窓台上縁部に当接する部分を直接窓台に係止して固定するようにし、相違点４に係る本件発明２の構成とすることも、当業者が容易になしうることである。
　
　そして、「施工時に補強ブラケットの取付けを忘れたり、省略される恐れがなく、出窓本体の下枠部分の強度を確保することができる」等の明細書記載の作用効果（段落【００３３】）及び、被請求人口頭陳述要領書で述べた「出窓本体７」の下枠部分の強度を確保することができるとともに、「出窓本体７」の下粋部分を補強する下枠補強材を含めた出窓取付け作業の確実な施工を可能とし、さらに施工作業を簡素化でき、施工性の向上を図ることも可能となる（被請求人陳述要領書１４頁２０〜２７行参照）との効果は、甲第２号証に示される、補強ブラケット（甲第２号証における「下部腕木」）と「窓台対向部材」（同「力骨」）を予め固着する技術から予測することができるものであり、本件発明２の作用効果は、全体として、甲第１号証記載の発明及び甲第２号証ないし甲第６号証記載の技術並びに周知技術からから予測できる程度のものである。
　
　したがって、本件発明２は、甲第１号証記載の発明及び甲第２号証ないし甲第６号証記載の技術並びに周知技術からから当業者が容易に発明をすることができたものである。
　
（３）本件発明３について　
　上記（１）の対比をふまえて、本件発明３と甲第１号証記載の発明とを対比すると、甲第１号証記載の発明の「底板６」が本件発明３の「底面板」に相当するから、両者の一致点３及び相違点８〜１２は次のとおりである。
（一致点３）
　「出窓本体の正面下枠と側面下枠からなる下枠部分の両端部間に掛け渡され、建物の躯体における窓台の屋外面に当接される窓台対向部材に、屋外側へ延出された先端部と屋内側へ延出された後端部とを有し、窓台対向部材を貫通して屋内側へ延出される後端部を有する補強ブラケットと、出窓本体の底部を覆う底面板を設け、下枠部分の両端部間に窓台対向部材を掛け渡し、補強ブラケットの先端部を窓台対向部材と対向する正面下枠に連結して出窓本体を組立て、補強ブラケットの後端部の延出部下面が窓台の上部に載置して固定される出窓本体を躯体の窓開口部に取付け、下枠部分及び窓台対向部材により区画されて略同一平面とされた上面部にテーブル板を載置した出窓。」である点。
（相違点８）
　本件発明３は、窓台対向部材が窓台に対して、「窓台の上縁部に係止片を介して係止して固定される」との構成を有しているのに対し、甲第１号証記載の発明は、このような構成を有しているか否か不明である点。
（相違点９）
　本件発明３においては、補強ブラケットが窓台対向部材に対して、「窓台対向部材の屋外面に第１鍔部を介して固定されるとともに、…後端部の延出部下面が第２鍔部を介して係止片上に固定される」との構成を有しているのに対し、甲第１号証記載の発明は、このような構成を有していない点。
（相違点１０）
　本件発明３は、補強ブラケットが窓台に対して、「第３鍔部を介して」固定されるのに対し、甲第１号証記載の発明は、このような構成を有していない点。
（相違点１１）
　本件発明３は、窓台対向部材に補強ブラケットと底面板を「予め設けておき」との構成を有しているのに対し、甲第１号証記載の発明は、窓台対向部材に補強ブラケットを予め設けておくか否か不明であり、さらに底面板は、補強ブラケットに取り付けられるものではない点。
（相違点１２）
　本件発明３は、底面板が、補強ブラケットの先端部に形成した係合溝と窓台対向部材の屋外面に形成した保持溝により、出窓本体の底部を覆うものであるのに対し、甲第１号証記載の発明は、底面板の後端を窓台対向部材の一部に載置させると共に、その前端を正面下枠の底部に締結具６ａで着脱自在に止着するものである点。
　
　上記相違点８ないし１０について検討すると、相違点８は相違点４に、相違点９は相違点５に、相違点１０は相違点６にそれぞれ対応するから、上記相違点８ないし１０に係る本件発明３の構成は、相違点４ないし６と同様の理由により、当業者が容易になしうることである。
　
　次に、上記相違点１１及び１２について検討する（なお、以下の記載において（　）内は、本件発明の部材に対応する各甲号証の用語である。）。
　上記（２）で検討したとおり、出窓の各枠部材を予め枠組してから窓の開口部に取り付けることは、本件出願前周知であり、甲第１号証記載の発明において窓台対向部材に補強ブラケットを、予め設けておくことは、当業者であれば容易に思い付く程度のことである。
　さらに、甲第２号証には出窓において、底面板（外装板４６と裏打材４７）の先端を正面下枠（下枠材１３）の下部に形成した押込空間４８に挿入し、底面板（外装板４６と裏打材４７）の後端を補強ブラケット（力骨２４）に固定したブラケット４９に止めネジ５０で止着した後、出窓を窓開口部に取り付けることが記載され（記載事項(2f)）、底面板を予め出窓の枠部材に設けておくことが示されている。
　そして、甲第１号証には、「この底板６は、・・・これを取外した時に、カウンター板１０の下面を開放して、その後方下枠４、もしくは各中骨材５に対する止着部を着脱自在にできるものであればよい。」と記載され、底面板（底板６）を、テーブル板（カウンター板１０）取り付け時に取り外すことが示されているから、その前に、底面板（底板６）を出窓本体に予め取り付けておくことが示唆されているといえる。
　しかし、甲第１号証記載の発明は、底面板が、窓台対向部材と正面下枠（前方下枠）との間に取り付けられるものであり、「この底板６は、形状や取付け位置が図示のものに限定されるものではなく」との記載はあるが、補強ブラケット（中骨材５）に取り付けることは具体的に記載されていない。
　
　そこで、甲第１号証記載の発明において、底面板を「補強ブラケットの先端部に形成した係合溝と窓台対向部材の屋外面に形成した保持溝により、出窓本体の底部を覆う」ものとすることが当業者が容易になしうることであるか否か検討すると、以下に示すとおり、甲第２号証ないし甲第１０号証のいずれにも、底面板を、補強ブラケットの先端部に形成した係合溝と窓台対向部材の屋外面に形成した保持溝に係止することは記載されていないし示唆もない。
　すなわち、甲第２号証には、上記のとおり、底面板（外装板４６と裏打材４７）の先端を正面下枠（下枠材１３）の下部に形成した押込空間４８に挿入することが記載されており、底板部の先端部が補強ブラケットに係合されることは記載されていない。
　甲第３号証には、出窓において、底面板（断熱ボード２３と断熱ボードカバー２４）を取り付けることが記載されているが、補強ブラケットを有するものではない。
　甲第４号証には、底面板について何ら記載されていない。
　甲第５号証は、出窓において、底面板（カバー材１３）を、補強ブラケット（支持材１２）の支承片１５の側壁に形成したフランジ１６，１６の下部と下枠との間にビス止めすることが記載されており、底面板の側縁を支持するものであって、底面板を補強ブラケットの先端部と窓台対向部材の屋外面に係止することは示されていない。
　甲第６号証には、出窓において、底面板（地板部被覆用外板３０）の室外側がテーブル板（地板１６）に釘止め２５され、室内側が建屋壁２０に鋲止め２６され、中途部が補強ブラケット（骨材１１）に接着固定されていることが記載されているが、底面板（地板部被覆用外板３０）の先端部は、正面下枠の上面位置でテーブル板に固定されるものであり、補強ブラケット（骨材１１）に係合することは示されていない。
　しかも、底面板の室外端を正面下枠に固定した甲第１号証、甲第２号証及び甲第３号証記載の技術は、いずれも正面下枠の下面が補強ブラケットに相当する部材の下面よりも低いこともあって、底面板の室外端を補強ブラケットの先端部に固定しようとする発想はない。
　甲第７号証ないし甲第１０号証には、「板体」を固定部材側に取り付けるために、固定部材側に設けた「溝」を利用する構造が、記載されているにすぎない。
　そうすると、甲第１号証ないし甲第６号証からは、本件発明３の「補強ブラケットの先端部に形成した係合溝」の前提となる底板部の先端部が補強ブラケットの先端部に係合されていることすら導き出せないのであるから、甲第７号証ないし甲第１０号証記載の「溝」を利用する係止構造が周知であるとしても、本件発明３の底面板を、補強ブラケットの先端部に形成した係合溝と窓台対向部材の屋外面に形成した保持溝により、出窓本体の底部を覆うとの構成は、これらの甲第２号証ないし甲第１０号証からは導き出せない。
　
　そして、本件発明３は全体として、底面板が窓台対向部材と補強ブラケ
ットの剛性により補強されて運送中に変形しにくい、出窓本体の下枠部分の強度を確保することができると共に、テーブル板の支持強度の向上が図れ、施工性の向上が図れる等の明細書記載（段落【００３５】）の特有の作用効果を奏するものである。
　したがって、本件発明３は、甲第１号証記載の発明及び甲第２号証ないし甲第１０号証記載の技術に基づいて当業者が容易に発明することができたものとすることはできない。
　　
第６．むすび　
　以上のとおりであるから、本件発明１及び本件発明２の特許は、特許法第２９条第２項の規定に違反してなされたものであり、特許法第１２３条第１項第２号の規定に該当し、無効とすべきものである。　
　本件発明３の特許は、請求人の主張する無効理由及び提出した証拠方法によっては、無効とすることはできない。　
　審判費用は、特許法第１６９条第２項において準用する民事訴訟法第６４条の規定により、その３分の１を請求人が負担し、３分の２を被請求人が負担すべきものとする。
　よって、結論のとおり審決する。